(57)【要約】【課題】写真用紙などの厚紙でも紙抜けせず、特殊専門製本機で背綴じしたものに近い体裁の小部数のための本綴じ具を提供する。【解決手段】Ａ  紙束がずれないようにクリップで決められた定位置で仮止めしておくツールと、Ｂ  用紙止め、そのクリップ、目盛りなどを利用し、厚い本でも出来る限り浅い位置で揃って大型ホチキスが失敗なく打るツールとの組み合わせで解決。【選択図】  図４
2007181998.tif 000002
【特許請求の範囲】
【請求項１】
板（１）の２方に、Ｌ型に用紙束止め（２）を設け、板の一部にクリップで定位置で挟む為の凹み（３）と切れ込み（４）を設けた、用紙束がずれないように一時固定しておく為のツール（図１）（図２）と、大型ホチキス（８）を目盛りの付いた台（９）に固定、ホチキス針が正確な直線位置に打てるように用紙束止め（１０）を設け、その用紙束止めと平行に、用紙束をずれないように一時止めておいたクリップが前後にのみ嵌合し、左右には用紙束と共に用紙束止め（１０）に対し前後の位置がずれないように平行移動できる溝（１１）を設けた（図３）（図４）との組み合わせによる小部数本綴じ具
【発明の詳細な説明】
【技術分野】
【０００１】
本発明は小部数豪華本を初めてでも簡単に体裁良く綴じる本綴じ具に関するものである。
【背景技術】
【０００２】
従来、小部数印刷し、背綴じ製本装丁を考えたとき、市販の小型製本機を購入するか素人対象の専門店に依頼するのが一般的だ。コピー用紙程度の紙の場合は紙抜けの心配はないが、立派な見栄えのするカラー刷りの本にする為に紙を厚くした場合、少なくとも私が試した１００万円以内の全ての製版機は完全に紙抜けしてしまうか、強く引っ張ると抜けてしまう心配があるものばかりだった。勿論大型ホチキスで綴じる方法もあるが作業上や体裁上思わしくなく、本格的な、紙の背部分に傷を付けて糊付けする大型の製本機以外では簡単に奇麗に綴じる方法はなかった。
【発明の開示】
【発明が解決しようとする課題】
【０００３】
所謂書類ではなく、紙質を選びカラー印刷で豪華本を小部数印刷し製本したいと考えてテスト的に専門店に厚紙での背綴じ製本を依頼してみたところ、意外にも紙抜けしてしまったり、厚紙は無理です、と断わられてしまった。その後の調査テストでも熱を加えて糊を溶かすタイプの簡易型製本機では、現在の市販されているどのメーカー、機種でも無理だと言うことがわかった。別な一般的な方法として大型ホチキスで綴じる方法もあるが、如何にも素人が作ったような仕上がりにしかならず、再度用紙束の糊付け部分に各種の切れ込みを入れたり傷を付けてみたり、熱の温度や時間を調節したりして簡易製本機で試して見たが、かなり抜けにくくなったのだが完璧とは言えず、結論としてホチキスの針をぎりぎりまでに浅く隙間を少なく打つことが最良の策ではないかと考えたが、実際にテストしてみるとそのままでは一線に揃って浅く打つにはかなり無理があり、出来たとしてもかなり熟練を要することがわかった。
本発明はこれを解決しようとするものである。
【課題を解決するための手段】
【０００４】
ホチキス針を浅く同じ一線上に打つためには深く打てない構造と紙の角度が曲がらず出来れば等間隔に打てれば良い。実際の大型ホチキスでは打つ深さを調整出来るようになってはいるが一番浅い位置でも背綴じ製本とはかなりかけ離れた仕上がりになってしまう。そこでもっと浅く平均的に打つために大型ホチキスを台に固定、平行等距離等間隔に打てるようにホチキスに直角で、一番浅く固定できる位置より更に浅い位置で打て、等距離になる位置に紙止めの凸部（１０）を設け、更に等間隔に打てるように台に目盛りを付けることを考えた。
【０００５】
実際に実行してみると浅い位置で揃って打てると考えていたのだが、紙を揃えて台に乗せた筈でも紙束の下方がどうしても手前方向にずれ易く奇麗に打てたと思っても下側では針が外に外れてしまい易い。更に左右では打つ位置が手前にずれ易いこともわかった。ホチキスと反対側の紙束をクリップ等で固定してもあまり効果がなかった。テストの結果、紙束の左右のホチキスに近い部分をクリップで止めるのが最も紙束がずれずに打てるとわかった。紙束がずれなければ非常に浅い位置で揃って打てることになる。
【０００６】
そこで机の上などでトントンと揃えた紙束を別に作った２方向に直角に凸部を設けた板に乗せ、左右両方向から間違いなく定位置に所謂目玉クリップなどで止めることが出来る部分を作り、前記のホチキス固定板にもこのクリップが前後に嵌合し、左右に平行移動できる溝を作った。これにより紙束がずれず、目盛り通りに針を打っていくことにより更に正確で浅い位置で揃った仕上がりになり、表紙を付けての仕上がりが糊を利用した背綴じ製本装丁にかなり近い仕上がりになった。
【発明の効果】
【０００７】
数百万円もする本格的な大型製本機を使っても厚手用紙では完全に開くことにはならない。本発明により小部数でも専門特殊製本機でしか出来なかった紙抜けしない一枚刷り本綴じ製本が、写真画質プリント用紙や厚手用紙で一ページづつプリントしたものでも小部数製本であれば一般用インクジェットプリンタや一般用レーザープリンタが使用出来、本格的な背綴じ製本装丁と見違える仕上がりになった。
【発明を実施するための最良の形態】
【０００８】
Ａ  揃えた綴じる印刷物をずれないようにクリップで止めるためのパーツと
Ｂ  大型ホチキスを固定する台            
の２つのパーツで構成する。
【０００９】
Ａ  板（１）の２方に用紙止めのＬ型の仕切り（２）を設け、左右を横断する位置に、直線状で左右に切れ込み（４）のある凹み（３）を設ける。この凹みの幅を紙束を一時固定しておくためのクリップ（ここでは片側がほぼ平らな所謂目玉クリップ）（７）がぴったり嵌るサイズにする。（図１）
Ｂ  大型ホチキス（８）を目盛りの付いた台（９）に固定、ホチキス針が正確な直線位置で出来るだけ浅い位置に打てるように用紙束止めの凸部（１０）を設け、その凸部と平行に、Ａの凹み（３）と同じ幅の（クリップスライド用の）凹み（１１）を設ける。  この凹みで、一時止めておいたクリップが前後にのみ嵌合し、左右には用紙束と共に凸部（１０）に対し位置がずれないように平行移動できる。
これにより固く平らな場所で綴じようとする印刷物を軽く落としながら揃え、ずれないように押さえながら紙止めの仕切りに沿ってセットし、押さえたままで定位置にクリップで紙束がずれないように止めることが出来る（図２）。
【００１０】
一時固定した紙束を、クリップが凹み（１１）に嵌まるようにセットし、目盛りに沿って移動打って行けば初めてに人でも簡単確実に本綴じができる。
【図面の簡単な説明】
【００１１】
【図１】紙束を揃えて両側からクリップで固定する台の斜視図
【図２】図１に紙束をセットしクリップで固定した図
【図３】大型ホチキスを組み込んだ台の斜視図
【図４】図３にクリップで固定した紙束をセットした図
【符号の説明】
【００１２】
１  板
２  用紙束止め
３  板に設けられた凹み
４  切れ込み
５  板を支える台
６  用紙の束
７  クリップ
８  大型ホチキス
９  目盛付き台
１０  用紙束止め
１１  クリップのスライド用凹み
【図１】
2007181998.tif 000003
【図２】
2007181998.tif 000004
【図３】
2007181998.tif 000005
【図４】
2007181998.tif 000006